【事件の表示】
　特願２００１−１１８７６１「プリンタ、広告印刷システム、印刷領域制御方法および情報記録媒体」拒絶査定不服審判事件〔平成１４年１０月２３日出願公開、特開２００２−３０７７６５〕について、次のとおり審決する。
【結　論】
　本件審判の請求は、成り立たない。
【理　由】
１．手続の経緯
　本願は、平成１３年４月１７日に出願したものであって、平成２１年５月１日付けで手続補正がなされ、同年８月１２日付けで拒絶査定がなされ、これに対し、同年１１月１８日に拒絶査定に対する審判請求がなされると同時に明細書についての手続補正がなされたものである。
　その後、平成２２年７月２７日付けで、審判請求人に前置報告書の内容を示し意見を求めるための審尋を行ったところ、同年１０月４日に回答書が提出された。
　
２．平成２１年１１月１８日になされた手続補正についての補正却下の決定
［補正却下の決定の結論］
　平成２１年１１月１８日になされた手続補正（以下、「本件補正」という。）を却下する。
［理由］
（１）補正後の本願発明
　本件補正は、特許請求の範囲についての補正を含んでおり、本件補正により、特許請求の範囲の請求項１は、
「複数の上位装置に接続される複数個の制御用ポートと、
各前記制御用ポートを介して受信情報を受信する受信部と、
前記受信部によって各前記制御用ポートを介して受信した前記受信情報から所要のポート別印刷情報を、前記制御用ポート毎に指定されたポート別領域記憶部に格納するもので、
少なくとも前記制御用ポートの一は複数の前記ポート別領域記憶部に対応しており、当該ポート別領域記憶部の中から一が指定されて前記ポート別印刷情報を格納するものを含む格納部
前記格納部によって格納された複数個の異なる前記制御用ポート毎に指定された複数個の前記ポート別領域記憶部のポート別印刷情報に基づいて、
前記出力印刷情報に基づいて、前記印刷用紙への印刷を実行する印刷制御部とを備えたプリンタ。」
から
「複数の上位装置に接続される複数個の制御用ポートと、
　各前記制御用ポートを介して受信情報を受信する受信部と、
　前記受信部によって各前記制御用ポートを介して受信した前記受信情報から所要のポート別印刷情報を、前記制御用ポート毎に指定されたポート別領域記憶部に格納するものであって、
前記複数個の制御用ポートの内のレシート印刷情報用の制御用ポートは１個のポート別領域記憶部に対応し、前記レシート印刷情報用以外の広告印刷情報用の制御用ポートは複数個のポート別領域記憶部に対応する格納部
　
前記レシート印刷用の制御用ポートに対応するポート別領域記憶部に格納されたレシート印刷情報毎に、前記広告印刷情報の制御用ポートに対応する複数個のポート別領域記憶に格納された印刷情報を選択して、レシート印刷領域の左右領域又は左領域に広告印刷領域を設定して
　前記出力印刷情報に基づいて、前記印刷用紙への印刷を実行する印刷制御部と、
　を備えたプリンタ。」
と補正された。（下線は、審決において付した。以下、同様。）
　
　上記補正は、以下の補正事項からなる。
　ア　「少なくとも前記制御用ポートの一は複数の前記ポート別領域記憶部に対応しており、当該ポート別領域記憶部の中から一が指定されて前記ポート別印刷情報を格納するものを含む格納部」を「前記複数個の制御用ポートの内のレシート印刷情報用の制御用ポートは１個のポート別領域記憶部に対応し、前記レシート印刷情報用以外の広告印刷情報用の制御用ポートは複数個のポート別領域記憶部に対応する格納部」と補正する。
　イ　「前記格納部によって格納された複数個の異なる前記制御用ポート毎に指定された複数個の前記ポート別領域記憶部のポート別印刷情報に基づいて、」を「前記レシート印刷用の制御用ポートに対応するポート別領域記憶部に格納されたレシート印刷情報毎に、前記広告印刷情報の制御用ポートに対応する複数個のポート別領域記憶に格納された印刷情報を選択して、レシート印刷領域の左右領域又は左領域に広告印刷領域を設定して」と補正する。
　
　上記アは、複数個の制御用ポートを「レシート印刷情報用の制御用ポート」と「レシート印刷情報用以外の広告印刷情報用の制御用ポート」と特定すると共に、対応するポート別領域記憶部の数を「レシート印刷情報用の制御用ポート」については１個と特定し、「レシート印刷情報用以外の公告印刷情報用の制御用ポート」については複数個と特定するものであって、「複数個の制御用ポート」及び「ポート別領域記憶部」について限定したものであるから、平成１８年法律第５５号改正附則第３条第１項によりなお従前の例によるとされる同法による改正前の特許法（以下「旧特許法」という。）第１７条の２第４項第２号の特許請求の範囲の減縮を目的とするものに該当する。
　上記イは、上記アに伴い「レシート印刷情報用の制御用ポート」に対応する「ポート別領域記憶部」に格納される情報を「レシート印刷情報」と特定すると共に、「レシート印刷領域の左右領域又は左領域に広告印刷領域を設定」することを特定し、表現を変更し、編集内容を限定的に明りょうにしたものであって、全体として旧特許法第１７条の２第４項第２号の特許請求の範囲の減縮を目的とするものに該当する。
　
　そこで、本件補正後の請求項１に記載された発明（以下、「本願補正発明」という。）が特許出願の際独立して特許を受けることができるものであるか（旧特許法第１７条の２第５項において準用する同法第１２６条第５項の規定に適合するか）について以下に検討する。
　
（２）引用刊行物
　（ａ）原査定の拒絶の理由に引用され、本願の出願前に頒布された特開平８−３１５２５２号公報（以下「刊行物１」という。）には、以下の記載が図とともにある。
　ア　【請求項１】  
商品販売登録処理を行うとともに販売登録商品の商品情報及び販売合計金額等の情報を含む販売情報を印字したレシートを発行する商品販売登録データ処理装置において、経時的に変化する顧客向け情報及びその印字制御情報をリアルタイムで受信する顧客向け情報受信手段と、受信した顧客向け情報及びその印字制御情報を更新自在に記憶する顧客向け情報記憶手段と、この顧客向け情報記憶手段に記憶された顧客向け情報について当該レシートの発行時に付加するか否かを対応する印字制御情報に基づき取捨選択する顧客向け情報判別手段と、選択された顧客向け情報を対応する印字制御情報に従いレシート印字情報に編集する編集手段と、レシート印字情報に編集された顧客向け情報をレシート上に印字させる付加印字処理手段とを設けたことを特徴とする商品販売登録データ処理装置。
　イ　【０００７】
【実施例】本発明の一実施例を図面に基づいて説明する。本実施例の
商品販売登録データ処理装置は
ストアコントローラ２に対してＬＡＮ（Ｌocal Ａrea Ｎetwork） により接続されたレジ＃１，レジ＃２で示すような個々のＥＣＲ４に適用したものである
提携した外部情報会社である情報提供会社コンピュータ５とＤＳＵ（Ｄigital Ｓervice Ｕnit）６ を介してＩＳＤＮ（Ｉntegrated Ｓervices Ｄigital Ｎetwork）７により回線接続されたシステムを構築している
　ウ　【０００９】次に、各
ＥＣＲ４の制御系の構成
演算回路等を内蔵して全体を制御しながらキーボード８、モードスイッチ９、タッチスキャナ１０等からの入力情報に基づいて各種演算処理を行うＣＰＵ１１が設けられている。このＣＰＵ１１にはバスライン１２を介してＲＯＭ１３やＲＡＭ１４が接続されている。さらに、ＣＰＵ１１には前記キーボード８、モードスイッチ９、タッチスキャナ１０の他、レシート／ジャーナル用のプリンタ１５、ディスプレイ１６、通信装置１７等がバスライン１２及び必要なコントローラ、Ｉ／Ｏポート（特に図示せず）等を介して接続されている
　エ　【００１２】
前記タッチスキャナ１０は、商品に付されたバーコード（商品コード）を光学的に読み取るもので、商品データ入力手段の一つとして機能する
【００１３】
前記プリンタ１５は、レシート用紙及びジャーナル用紙に１取引で販売登録された全商品の名称、販売価格や販売合計金額等の情報を含む販売情報を印字するもので
　オ　【００１５】
前記通信装置１７は
前記情報提供会社コンピュータ５から任意の時点で伝送される顧客向け情報及びその印字制御情報を後述する割込処理によってリアルタイムで受信するための顧客向け情報受信手段として機能する
【００１６】さらに、前記ＲＯＭ１３には各種業務のプログラム（図１に示すフローチャート等）、その他のデータが固定的に格納されている。また、
前記ＲＡＭ１４は
商品販売登録業務において、入力された各販売登録商品の販売金額等の商品情報を記憶するものであり、商品コードに応じて検索されるＰＬＵファイルや、１取引の情報を一時的に記憶する取引バッファ等を備えている
このＲＡＭ１４中には
前記通信装置１７を介した割込処理によって受信した顧客向け情報及びその印字制御情報を更新自在に記憶する付加情報記憶エリア１８が顧客向け情報記憶手段として確保されている
顧客向け情報とその印字制御情報とは、各々、対にされて顧客向け情報欄１８ａと印字制御情報欄１８ｂとに分けて記憶されるように設定されている
　カ　【００２０】次に、情報提供会社コンピュータ５から伝送される顧客向け情報及びその印字制御情報の受信処理について説明する。情報提供会社コンピュータ５は最新の情報を収集しており、この情報を予め設定されているタイミングで、提携している端末、ここでは、店舗１に対して或る新規な顧客向け情報としてその印字制御情報を伴って伝送する。店舗１内のＥＣＲ４側では、ＤＳＵ６を経た後、直接的に、又は、ストアコントローラ２及びＬＡＮを介して間接的に、通信装置１７によって受信する。即ち、
情報提供会社コンピュータ５側から情報の伝送があると
受信した情報を各々ＲＡＭ１４中の付加情報記憶エリア１８中の顧客向け情報欄１８ａ、印字制御情報欄１８ｂに保存する
【００２１】このような状況下において、
商品販売登録業務が行われてレシートが発行される場合の処理制御に
タッチスキャナ１０によりバーコード情報の読取入力が有ると
入力されたバーコード情報中の商品コードに基づきＲＡＭ１４内のＰＬＵファイルを検索する
その商品名称や単価情報を呼び出して
その情報を通常取引情報として、一旦、ＲＡＭ１２中の取引バッファ中に格納する
【００２２】その後、
現／計キーが押されて締め宣言がなされると
取引バッファに一旦格納された取引情報を呼び出してプリンタ１５に対して出力することで、このプリンタ１５によりレシート用紙上にこれらの取引情報を一括して印字させる
【００２３】
レシート用紙上への取引情報の印字後、ＲＡＭ１２中の特定エリア、具体的には、付加情報記憶エリア１８中を検索
その顧客向け情報が現在出力すべき印字情報であるか否かをチェックする
該当する顧客向け情報のみが選択され
その顧客向け情報を、対応する印字制御情報に従いレシート用紙上への印字に適したレシート印字情報となるように編集・加工処理して、ＲＡＭ１２中の印字バッファに展開する
　キ　【００２５】一方、印字バッファ中に編集データが存在する場合には、
その編集データに基づきプリンタ１５を駆動させてレシート用紙上に顧客向け情報を既に印字した取引情報に続けて印字させる
【００２６】なお、
取引バッファ及び印字バッファは、レシート発行直後にデータクリアされる
　ク　【図４】から、顧客向け情報は、複数の顧客向け情報＃１・・・＃ｎからなり、印字制御情報は、それに対応して印字制御情報＃１・・・＃ｎからなることが看取できる。
　
　上記記載及び図面を含む刊行物１全体の記載から、刊行物１には、以下の発明が記載されていると認められる。
「商品販売登録処理を行うとともに販売登録商品の商品情報及び販売合計金額等の情報を含む販売情報を印字したレシートを発行する商品販売登録データ処理装置であって、経時的に変化する顧客向け情報及びその印字制御情報をリアルタイムで受信する顧客向け情報受信手段と、受信した顧客向け情報及びその印字制御情報を更新自在に記憶する顧客向け情報記憶手段と、この顧客向け情報記憶手段に記憶された顧客向け情報について当該レシートの発行時に付加するか否かを対応する印字制御情報に基づき取捨選択する顧客向け情報判別手段と、選択された顧客向け情報を対応する印字制御情報に従いレシート印字情報に編集する編集手段と、レシート印字情報に編集された顧客向け情報をレシート上に印字させる付加印字処理手段とを設けた商品販売登録データ処理装置を、
　ストアコントローラ２に対してＬＡＮ（Ｌocal Ａrea Ｎetwork） により接続された個々のＥＣＲ４に適用し、提携した外部情報会社である情報提供会社コンピュータ５とＤＳＵ（Ｄigital Ｓervice Ｕnit）６ を介してＩＳＤＮ（Ｉntegrated Ｓervices Ｄigital Ｎetwork）７により回線接続されたシステムを構築可能なものであり、
　ＥＣＲ４の制御系の構成としては、演算回路等を内蔵して全体を制御しながらキーボード８、モードスイッチ９、タッチスキャナ１０等からの入力情報に基づいて各種演算処理を行うＣＰＵ１１が設けられており、このＣＰＵ１１にはバスライン１２を介してＲＯＭ１３やＲＡＭ１４が接続されており、さらに、ＣＰＵ１１には前記キーボード８、モードスイッチ９、タッチスキャナ１０の他、レシート／ジャーナル用のプリンタ１５、ディスプレイ１６、通信装置１７等がバスライン１２及び必要なコントローラ、Ｉ／Ｏポート等を介して接続されており、
　前記タッチスキャナ１０は、商品に付されたバーコード（商品コード）を光学的に読み取るもので、商品データ入力手段の一つとして機能し、
　前記プリンタ１５は、レシート用紙及びジャーナル用紙に１取引で販売登録された全商品の名称、販売価格や販売合計金額等の情報を含む販売情報を印字し、
　前記通信装置１７は、前記情報提供会社コンピュータ５から任意の時点で伝送される顧客向け情報及びその印字制御情報を後述する割込処理によってリアルタイムで受信するための顧客向け情報受信手段として機能し、
　前記ＲＡＭ１４は、商品販売登録業務において、入力された各販売登録商品の販売金額等の商品情報を記憶するものであり、商品コードに応じて検索されるＰＬＵファイルや、１取引の情報を一時的に記憶する取引バッファ等を備えており、このＲＡＭ１４中には、前記通信装置１７を介した割込処理によって受信した複数の顧客向け情報＃１・・・＃ｎ及びその印字制御情報＃１・・・＃ｎを更新自在に記憶する付加情報記憶エリア１８が顧客向け情報記憶手段として確保されており、複数の顧客向け情報＃１・・・＃ｎとその印字制御情報＃１・・・＃ｎとは、各々、対にされて顧客向け情報欄１８ａと印字制御情報欄１８ｂとに分けて記憶されるように設定されており、情報提供会社コンピュータ５側から情報の伝送があると、受信した情報は、各々ＲＡＭ１４中の付加情報記憶エリア１８中の顧客向け情報欄１８ａ、印字制御情報欄１８ｂに保存され、
　商品販売登録業務が行われてレシートが発行される場合の処理制御をする場合、タッチスキャナ１０によりバーコード情報の読取入力が有ると、入力されたバーコード情報中の商品コードに基づきＲＡＭ１４内のＰＬＵファイルを検索し、その商品名称や単価情報を呼び出してその情報を通常取引情報として、一旦、ＲＡＭ１２中の取引バッファ中に格納し、現／計キーが押されて締め宣言がなされると取引バッファに一旦格納された取引情報を呼び出してプリンタ１５に対して出力することで、このプリンタ１５によりレシート用紙上にこれらの取引情報を一括して印字させ、レシート用紙上への取引情報の印字後、ＲＡＭ１２中の付加情報記憶エリア１８中を検索し、その顧客向け情報が現在出力すべき印字情報であるか否かをチェックし、該当する顧客向け情報のみが選択され、その顧客向け情報を、対応する印字制御情報に従いレシート用紙上への印字に適したレシート印字情報となるように編集・加工処理して、ＲＡＭ１２中の印字バッファに展開し、その編集データに基づきプリンタ１５を駆動させてレシート用紙上に顧客向け情報を既に印字した取引情報に続けて印字させ、取引バッファ及び印字バッファは、レシート発行直後にデータクリアされる
　ＥＣＲ４。」（以下「引用発明」という。）
　
（３）対比
　ａ　本願補正発明と引用発明とを比較すると、引用発明の「情報提供会社コンピュータ５」、「通信装置１７」、「『販売登録商品の商品情報及び販売合計金額等の情報を含む販売情報』又は『１取引で販売登録された全商品の名称、販売価格や販売合計金額等の情報を含む販売情報』」、「顧客向け情報及びその印字制御情報」、「Ｉ／Ｏポート」、「レシート用紙」、「取引バッファ」、「編集手段」及び「ＥＣＲ４」は、それぞれ本願補正発明の「上位装置」、「受信部」、「レシート印刷情報」、「広告印刷情報」、「広告印刷情報用の制御用ポート」、「印刷用紙」、「『レシート印刷情報』が格納される『領域記憶部』」、「編集部」及び「プリンタ」に相当する。
　ｂ　引用発明の「情報提供会社コンピュータ５」からの情報が「Ｉ／Ｏポート」を介して「ＥＣＲ４」の「通信装置１７」に伝送されることは明らかであるから、引用発明の「ＥＣＲ４」は、上位装置に接続される制御用ポートと、前記制御用ポートを介して受信情報を受信する受信部とを備えている点で本願補正発明のプリンタと一致する。
　ｃ　引用発明のＲＡＭ１４は「商品販売登録業務において、入力された各販売登録商品の販売金額等の商品情報を記憶するものであり、商品コードに応じて検索されるＰＬＵファイルや、１取引の情報を一時的に記憶する取引バッファ等を備えて」おり、「取引バッファ・・・は、レシート発行直後にデータクリアされる」から、引用発明の「ＥＣＲ４」は、レシート印刷情報を１個の領域記憶部に格納する格納部を備えている点で本願補正発明のプリンタと一致し、引用発明のＲＡＭ１４中には、「前記通信装置１７を介した割込処理によって受信した複数の顧客向け情報＃１・・・＃ｎ及びその印字制御情報＃１・・・＃ｎを更新自在に記憶する付加情報記憶エリア１８が顧客向け情報記憶手段として確保されており、複数の顧客向け情報＃１・・・＃ｎとその印字制御情報＃１・・・＃ｎとは、各々、対にされて顧客向け情報欄１８ａと印字制御情報欄１８ｂとに分けて記憶されるように設定されており、情報提供会社コンピュータ５側から情報の伝送があると、受信した情報は、各々ＲＡＭ１４中の付加情報記憶エリア１８中の顧客向け情報欄１８ａ、印字制御情報欄１８ｂに保存され」るから、引用発明の「ＥＣＲ４」は、受信部によって制御用ポートを介して受信した受信情報を記憶部に格納するものであって、レシート印刷情報用以外の広告印刷情報を複数個の領域記憶部に格納する格納部を備えている点で本願補正発明のプリンタと一致する。
　ｄ　引用発明は「取引バッファに一旦格納された取引情報を呼び出してプリンタ１５に対して出力することで、このプリンタ１５によりレシート用紙上にこれらの取引情報を一括して印字させ、レシート用紙上への取引情報の印字後、ＲＡＭ１２中の付加情報記憶エリア１８中を検索し、その顧客向け情報が現在出力すべき印字情報であるか否かをチェックし、該当する顧客向け情報のみが選択され、その顧客向け情報を、対応する印字制御情報に従いレシート用紙上への印字に適したレシート印字情報となるように編集・加工処理して、ＲＡＭ１２中の印字バッファに展開し、その編集データに基づきプリンタ１５を駆動させてレシート用紙上に顧客向け情報を既に印字した取引情報に続けて印字させ」るから、引用発明の「ＥＣＲ４」は、レシート印刷情報の領域記憶部に格納されたレシート印刷情報毎に、広告印刷情報の複数個の領域記憶に格納された印刷情報を選択して、印刷用紙に印刷する出力印刷情報を編集する編集部と、前記出力印刷情報に基づいて、前記印刷用紙への印刷を実行する印刷制御部を備えている点で本願補正発明のプリンタと一致する。
　ｅ　上記ａないしｄから、本願補正発明と引用発明は、
「上位装置に接続される制御用ポートと、
　前記制御用ポートを介して受信情報を受信する受信部と、
　前記受信部によって前記制御用ポートを介して受信した前記受信情報を記憶部に格納するものであって、レシート印刷情報を１個の領域記憶部に、前記レシート印刷情報用以外の広告印刷情報を複数個の領域記憶部に格納する格納部と、
　前記レシート印刷情報の領域記憶部に格納されたレシート印刷情報毎に、前記広告印刷情報の複数個の領域記憶に格納された印刷情報を選択して、印刷用紙に印刷する出力印刷情報を編集する編集部と、
　前記出力印刷情報に基づいて、前記印刷用紙への印刷を実行する印刷制御部と、
　を備えたプリンタ。」
の点で一致し、以下の点で相違している。
［相違点１］上位装置及び制御用ポートに関し、本願補正発明は「複数の上位装置に接続される複数個の制御用ポート」と特定されているのに対し、引用発明は、いずれも複数ではない点。
［相違点２］レシート印刷情報及び広告印刷情報の格納部に関し、本願補正発明は「前記受信部によって各前記制御用ポートを介して受信した前記受信情報から所要のポート別印刷情報を、前記制御用ポート毎に指定されたポート別領域記憶部に格納するものであって、前記複数個の制御用ポートの内のレシート印刷情報用の制御用ポートは１個のポート別領域記憶部に対応し、前記レシート印刷情報用以外の広告印刷情報用の制御用ポートは複数個のポート別領域記憶部に対応する格納部」と特定されているのに対し、引用発明は「１取引で販売登録された全商品の名称、販売価格や販売合計金額等の情報を含む販売情報」（レシート印刷情報）を「取引バッファ」（１個の領域記憶部）に格納し、「Ｉ／Ｏポート」（制御用ポート）を介して「通信装置１７」（受信部）に受信した「顧客向け情報及びその印字制御情報」（広告印刷情報）を「複数の顧客向け情報＃１・・・＃ｎ及びその印字制御情報＃１・・・＃ｎを更新自在に記憶する付加情報記憶エリア１８」（複数個の領域記憶部）に格納するものの、「１取引で販売登録された全商品の名称、販売価格や販売合計金額等の情報を含む販売情報」（レシート印刷情報）は、制御用ポートを介して受信していない点。
［相違点３］編集部に関し、本願補正発明は「レシート印刷領域の左右領域又は左領域に広告印刷領域を設定して印刷用紙に印刷する１個の出力印刷情報を編集する」と特定されているのに対し、引用発明は「レシート用紙上への取引情報の印字後、ＲＡＭ１２中の付加情報記憶エリア１８中を検索し、その顧客向け情報が現在出力すべき印字情報であるか否かをチェックし、該当する顧客向け情報のみが選択され、その顧客向け情報を、対応する印字制御情報に従いレシート用紙上への印字に適したレシート印字情報となるように編集・加工処理」するものであって、本願補正発明のような編集をするものではない点。
　
（４）判断
　上記相違点１及び相違点２について検討する。
　ａ　引用発明の「商品コードに応じて検索されるＰＬＵファイル」は、「ＲＡＭ１４」に格納され、商品コードを特定するための「タッチスキャナ１０」等「１取引で販売登録された全商品の名称、販売価格や販売合計金額等の情報を含む販売情報」（レシート印刷情報）を作成するための部位が「ＥＣＲ４」に備わっており、別装置として構成されていないが、情報記憶部を含め一部の機能を分離し、別装置として構成することは、設計事項にすぎず、引用発明の「商品コードに応じて検索されるＰＬＵファイル」を格納する記憶部と該情報から１取引に関する情報を選択するために密接に関連する商品コードを特定する「タッチスキャナ１０」等を「ＥＣＲ４」から分離し、別装置として構成し、「１取引で販売登録された全商品の名称、販売価格や販売合計金額等の情報を含む販売情報」（レシート印刷情報）を作成するための情報を引用発明の「Ｉ／Ｏポート」とは別の制御用ポートを介して、「ＥＣＲ４」に伝送し、「取引バッファ」（１個の領域記憶部）に格納させることは当業者が容易になし得る程度のことである。
　ｂ　上記ａのように構成された引用発明の「商品コードに応じて検索されるＰＬＵファイル」を格納する記憶部及び「タッチスキャナ１０」等は、本願補正発明の「複数の上位装置」の１つに相当し、「Ｉ／Ｏポート」とは別の制御用ポートは、本願補正発明の「複数個の制御用ポート」の１つであると共に「レシート印刷情報用の制御用ポート」に相当するから、上記ａのように構成された引用発明は、本願補正発明の上記相違点１及び２の構成を有することになる。
　
　上記相違点３について検討する。
　レシート印刷領域と広告印刷領域の配置をどのようにするかは設計事項にすぎず、又、特開２０００−４８２５７号公報（以下「刊行物２」という。）の段落【００２０】に「本実施例においては、走行方向の左側がレシート片となり、右側がサービス・ポイント、クーポン又は当たりくじ等が印字される付加価値シート片となるようにしているが、当然のことながら逆の位置になるようにしても良い。」と記載されているから、レシート印刷領域の左右領域又は左領域に広告印刷領域を設定して印刷用紙に印刷するように、レシート印刷情報と広告印刷情報とを出力印刷情報に編集し、本願補正発明の上記相違点３に係る構成となすことは、当業者が容易になし得る程度のことである。
　
　以上のとおりであるから、本願補正発明の相違点１〜３に係る構成は、刊行物１記載の発明に基づいて或いは刊行物１及び２記載の発明に基づいて当業者が容易に想到することができたものであり、それにより得られる効果も当業者が予測できる範囲のものである。
　
　したがって、本願補正発明は、刊行物１記載の発明に基づいて或いは刊行物１及び２記載の発明に基づいて当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成２１年１１月１８日付けの手続補正は上記のとおり却下されたので、本願の請求項１〜２３に係る発明は、平成２１年５月１日付け手続補正後の明細書及び図面からみて、その特許請求の範囲の請求項１〜２３に記載された事項により特定されるとおりのものと認められるところ、その請求項１に係る発明（以下、「本願発明」という。）は、次のとおりである。
　
「複数の上位装置に接続される複数個の制御用ポートと、
各前記制御用ポートを介して受信情報を受信する受信部と、
前記受信部によって各前記制御用ポートを介して受信した前記受信情報から所要のポート別印刷情報を、前記制御用ポート毎に指定されたポート別領域記憶部に格納するもので、少なくとも前記制御用ポートの一は複数の前記ポート別領域記憶部に対応しており、当該ポート別領域記憶部の中から一が指定されて前記ポート別印刷情報を格納するものを含む格納部と、
前記格納部によって格納された複数個の異なる前記制御用ポート毎に指定された複数個の前記ポート別領域記憶部のポート別印刷情報に基づいて、印刷用紙に印刷する１個の出力印刷情報を編集する編集部と、
前記出力印刷情報に基づいて、前記印刷用紙への印刷を実行する印刷制御部とを備えたプリンタ。」
　
（１）引用刊行物
　原査定の拒絶の理由に引用された刊行物及びその記載事項は、前記「２．（２）」に記載したとおりである。
　
（２）対比・判断
　本願発明は、前記２で検討した本願補正発明から「複数個の制御用ポート」及び「ポート別領域記憶部」について限定を省き、「レシート印刷情報用の制御用ポート」に対応する「ポート別領域記憶部」に格納される情報について限定を省き、編集内容についての限定を省いたものである。
　そうすると、本願発明の発明を特定する事項を全て含み、さらなる限定を付加したものに相当する本願補正発明が、前記「２．（４）」に記載したとおり、刊行物１記載の発明に基づいて当業者が容易に発明をすることができたものであるから、本願発明も、同様の理由により、刊行物１記載の発明に基づいて、当業者が容易に発明をすることができたものである。
　
（３）むすび
　以上のとおり、本願発明は、刊行物１記載の発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。